(57)【特許請求の範囲】
【請求項１】
互いに交差する第１〜第Ｎ（Ｎは、自然数）の走査ライン及び第１〜第Ｍ（Ｍは、自然数）の信号ラインにより特定される画素を有する電気光学装置の第１〜第Ｎの走査ラインを駆動する走査駆動回路であって、
各走査ラインに対応して設けられたフリップフロップが直列接続された第１〜第Ｎのフリップフロップを有し、所与のパルス信号を順次シフトするシフトレジスタと、
前記第１〜第Ｎのフリップフロップの出力ノードの電圧レベルをシフトして出力する第１〜第Ｎのレベルシフタ回路を含むレベル変換手段と、
第１〜第Ｎのレベルシフタ回路の出力ノードの論理レベルに対応して、第１〜第Ｎの走査ラインを順次駆動する第１〜第Ｎの駆動回路を含む走査ライン駆動手段と、
前記第１〜第Ｎの走査ラインが複数の走査ラインごとに分割されるブロックのうち走査駆動されるブロックを指定するためのブロック選択データを保持するブロック選択データ保持手段と、
前記シフトレジスタを構成する第１〜第Ｎのフリップフロップのうち第Ｐ（Ｐは、自然数）のブロックの初段のフリップフロップに入力されるシフト入力と、第Ｐのブロックの最終段のフリップフロップから出力されるシフト出力のいずれか一方を、第Ｐのブロックに対応して設定されたブロック選択データに基づいて、第（Ｐ＋１）のブロックに対して出力するためのバイパス手段とを含み、
前記電気光学装置は、前記走査ラインと前記信号ラインに接続されたスイッチング手段を介して設けられた画素電極を有し、
フレームごとに第１及び第２の電圧レベルを繰り返し反転する極性反転信号に同期して、前記画素電極に対応する電気光学素子の印加電圧の極性反転駆動が行われる場合に、
前記走査ライン駆動手段は、
前記ブロック選択データにより走査駆動するブロックとして指定されたブロックの走査ラインを駆動すると共に、
前記ブロック選択データにより走査駆動しないブロックとして指定されたブロックの走査ラインのうち、前記所与のタイミングが設定される所与の期間中において前記極性反転信号が第１の電圧レベルのときに、第１群の走査ラインを同時に駆動し、前記所与の期間中において前記極性反転信号が第２の電圧レベルのときに、第２群の走査ラインを同時に駆動することを特徴とする走査駆動回路。
【請求項２】
請求項１において、
前記所与のタイミングは、一垂直走査期間中の帰線期間内に設定されていることを特徴とする走査駆動回路。
【請求項３】
請求項１又は２において、
前記ブロック単位は、８走査ライン単位であることを特徴とする走査駆動回路。
【請求項４】
互いに交差する第１〜第Ｎの走査ライン及び複数の信号ラインにより特定される画素を有する電気光学装置と、
前記第１〜第Ｎの走査ラインを走査駆動する請求項１乃至３いずれか記載の走査駆動回路と、
画像データに基づいて前記信号ラインを駆動する信号駆動回路と、
を含むことを特徴とする表示装置。
【請求項５】
互いに交差する第１〜第Ｎの走査ライン及び複数の信号ラインにより特定される画素と、
前記第１〜第Ｎの走査ラインを走査駆動する請求項１乃至３いずれか記載の走査駆動回路と、
画像データに基づいて前記信号ラインを駆動する信号駆動回路と、
を含むことを特徴とする電気光学装置。
【請求項６】
各走査ラインに対応して設けられたフリップフロップが直列接続された第１〜第Ｎのフリップフロップを有し、所与のパルス信号を順次シフトするシフトレジスタと、
前記第１〜第Ｎのフリップフロップの出力ノードの電圧レベルをシフトして出力する第１〜第Ｎのレベルシフタ回路を含むレベル変換手段と、
第１〜第Ｎのレベルシフタ回路の出力ノードの論理レベルに対応して、第１〜第Ｎの走査ラインを順次駆動する第１〜第Ｎの駆動回路を含む走査ライン駆動手段とを有し、
互いに交差する第１〜第Ｎの走査ライン及び第１〜第Ｍの信号ラインにより特定される画素を有する電気光学装置の第１〜第Ｎの走査ラインを駆動する走査駆動回路の走査駆動方法であって、
前記走査駆動回路は、
前記シフトレジスタを構成する第１〜第Ｎのフリップフロップのうち第Ｐ（Ｐは、自然数）のブロックの初段のフリップフロップに入力されるシフト入力と、第Ｐのブロックの最終段のフリップフロップから出力されるシフト出力のいずれか一方を、第Ｐのブロックに対応して設定されたブロック選択データに基づいて、第（Ｐ＋１）のブロックに対して出力するためのバイパス手段を有し、
前記電気光学装置は、前記走査ラインと前記信号ラインに接続されたスイッチング手段を介して設けられた画素電極を有し、
フレームごとに第１及び第２の電圧レベルを繰り返し反転する極性反転信号に同期して、前記画素電極に対応する電気光学素子の印加電圧の極性反転駆動が行われる場合に、
前記第１〜第Ｎの走査ラインが複数の走査ラインごとに分割されるブロックのうち、走査駆動されるブロックを指定するためのブロック選択データにより走査駆動するブロックとして指定されたブロックの走査ラインは、順次走査駆動され、
前記ブロック選択データにより走査駆動しないブロックとして指定されたブロックの走査ラインのうち、前記所与のタイミングが設定される所与の期間中において前記極性反転信号が第１の電圧レベルのときに、第１群の走査ラインは同時に駆動され、前記所与の期間中において前記極性反転信号が第２の電圧レベルのときに、第２群の走査ラインは同時に駆動されることを特徴とする走査駆動方法。
【請求項７】
請求項６において、
前記所与のタイミングは、一垂直走査期間中の帰線期間内に設定されていることを特徴とする走査駆動方法。
【請求項８】
請求項６又は７において、
前記ブロック単位は、８走査ライン単位であることを特徴とする走査駆動方法。
【発明の詳細な説明】
【０００１】
【発明の属する技術分野】
本発明は、走査駆動回路、これを用いた表示装置、電気光学装置及び走査駆動方法に関する。
【０００２】
【背景技術及び発明が解決しようとする課題】
例えば携帯電話機のような電子機器の表示部には、液晶パネルが用いられており、電子機器の低消費電力化や小型軽量化等が図られている。この液晶パネルについては、近年の携帯電話機の普及によって情報性の高い静止画や動画が配信されるようになると、その高画質化が要求されるようになっている。
【０００３】
このような電子機器の表示部の高画質化を実現する液晶パネルとして、薄膜トランジスタ（Thin Film Transistor：以下、ＴＦＴと略す。）液晶を用いたアクティブマトリクス型液晶パネルが知られている。ＴＦＴ液晶を用いたアクティブマトリクス型液晶パネルは、ダイナミック駆動によるＳＴＮ（SuperTwisted Nematic）液晶を用いた単純マトリクス型液晶パネルに比べて、高速応答、高コントラストを実現し、動画等の表示に適している。
【０００４】
しかしながら、ＴＦＴ液晶を用いたアクティブマトリクス型液晶パネルは、消費電力が大きく、携帯電話機のようなバッテリ駆動が行われる携帯型の電子機器の表示部として採用することが困難とされている。
【０００５】
本発明は以上のような技術的課題に鑑みてなされたものであり、その目的とするところは、高画質化と低消費電力化とを両立させ、アクティブマトリクス型液晶パネルに好適な走査駆動回路、これを用いた表示装置、電気光学装置及び走査駆動方法を提供することにある。
【０００６】
【課題を解決するための手段】
上記課題を解決するために本発明は、互いに交差する第１〜第Ｎ（Ｎは、自然数）の走査ライン及び第１〜第Ｍ（Ｍは、自然数）の信号ラインにより特定される画素を有する電気光学装置の第１〜第Ｎの走査ラインを駆動する走査駆動回路であって、各走査ラインに対応して設けられたフリップフロップが直列接続された第１〜第Ｎのフリップフロップを有し、所与のパルス信号を順次シフトするシフトレジスタと、前記第１〜第Ｎのフリップフロップの出力ノードの電圧レベルをシフトして出力する第１〜第Ｎのレベルシフタ回路を含むレベル変換手段と、第１〜第Ｎのレベルシフタ回路の出力ノードの論理レベルに対応して、第１〜第Ｎの走査ラインを順次駆動する第１〜第Ｎの駆動回路を含む走査ライン駆動手段とを有し、前記走査ライン駆動手段は、前記第１〜第Ｎの走査ラインが複数の走査ラインごとのブロックに分割される場合に、ブロック単位で選択された表示エリアの走査ラインを順次走査駆動し、ブロック単位で選択された非表示エリアの走査ラインのうち、少なくとも一部の走査ラインを所与のタイミングで同時に駆動することを特徴とする。
【０００７】
ここで、電気光学装置としては、例えば互いに交差する第１〜第Ｎの走査ライン及び第１〜第Ｍの信号ラインと、前記第１〜第Ｎの走査ラインと前記第１〜第Ｍの信号ラインに接続されたＮ×Ｍのスイッチング手段と、前記スイッチング手段に接続されたＮ×Ｍの画素電極とを有するように構成しても良い。
【０００８】
また、ブロック単位に分割される走査ラインは、互いに隣接した複数の走査ラインであっても良いし、任意に選択された複数の走査ラインであっても良い。
【０００９】
本発明によれば、第１〜第Ｎの走査ラインが複数の走査ラインごとのブロックに分割し、このブロック単位で表示エリアと非表示エリアとが設定される場合において、非表示エリアに設定されたブロックの走査ラインの少なくとも一部を、所与のタイミングで同時に駆動するようにしたので、非表示エリアに設定された走査ラインを所与の周期でリフレッシュすることができるようになる。従って、例えばＴＦＴを用いたＬＣＤパネルにおいて、ＴＦＴのリークによってある時間以上駆動しない場合に現れるグレイ表示等といった不具合を回避できるパーシャル表示制御が可能となり、表示装置の低消費電力化と、パーシャル表示による多様な画面表示とを両立させることができる。特に、ＴＦＴを用いたＬＣＤパネルに適用することによって、高画質な画面表示が可能となり、より情報性の高い画像表示が可能となる。
【００１０】
また本発明は、走査駆動されるブロックを指定するためのブロック選択データを保持するブロック選択データ保持手段を含み、前記走査ライン駆動手段は、前記ブロック選択データにより走査駆動するブロックとして指定されたブロックの走査ラインを駆動し、前記ブロック選択データにより走査駆動しないブロックとして指定されたブロックの走査ラインのうち、少なくとも一部の走査ラインを所与のタイミングで同時に駆動することを特徴とする。
【００１１】
本発明においては、ブロック選択データ保持手段を設け、ブロック単位で、各ブロックの走査ラインを駆動するか否かを示すブロック選択データを保持できるようにした。これにより、ブロック選択データにより選択されたブロックを任意に変更することができ、ダイナミックに制御可能なパーシャル表示を容易に実現することができるようになる。
【００１２】
また本発明は、前記シフトレジスタを構成する第１〜第Ｎのフリップフロップのうち第Ｐ（Ｐは、自然数）のブロックの初段のフリップフロップに入力されるシフト入力と、第Ｐのブロックの最終段のフリップフロップから出力されるシフト出力のいずれか一方を、第Ｐのブロックに対応して設定されたブロック選択データに基づいて、第（Ｐ＋１）のブロックに対して出力するためのバイパス手段を含むことを特徴とする。
【００１３】
本発明においては、バイパス手段を設け、ブロック選択データにより走査駆動しないブロックとして指定されたブロックの走査ラインに対応して設けられたフリップフロップに入力されたシフト入力を、隣りのブロックの走査ラインに対応して設けられたフリップフロップにバイパスさせるようにした。従って、表示エリアに設定されたブロックの走査ラインだけ走査駆動を行えばよいので、所与の一垂直走査期間のうち非表示エリアの走査ラインの駆動時間分の消費電力を削減することができる。
【００１４】
また本発明は、前記電気光学装置は、画素に対応して、前記走査ラインと前記信号ラインに接続されたスイッチング手段を介して設けられた画素電極を有し、フレームごとに第１及び第２の電圧レベルを繰り返し反転する極性反転信号に同期して、前記画素電極に対応する電気光学素子の印加電圧の極性反転駆動が行われる場合に、前記走査ライン駆動手段は、前記ブロック選択データにより走査駆動するブロックとして指定されたブロックの走査ラインを駆動し、前記ブロック選択データにより走査駆動しないブロックとして指定されたブロックの走査ラインのうち、前記所与のタイミングが設定される所与の期間中において前記極性反転信号が第１の電圧レベルのときに、第１群の走査ラインを同時に駆動し、前記所与の期間中において前記極性反転信号が第２の電圧レベルのときに、第２群の走査ラインを同時に駆動することを特徴とする。
【００１５】
本発明によれば、所与のタイミングが設定される所与の期間中において、極性反転信号が第１の電圧レベル（例えば、論理レベル「Ｈ」に対応する電圧レベル）と第２の電圧レベル（例えば、論理レベル「Ｌ」に対応する電圧レベル）となるときに、非表示エリアに設定されたブロックの走査ラインのうち、第１群及び第２群の走査ラインを同時に駆動するようにしたので、例えば隣接する走査ライン同士を互いに異なる群に予め分けておくことにより、ライン反転駆動方式などの反転駆動方式に従って非表示エリアの走査ラインをリフレッシュすることができる。従って、例えばＴＦＴを用いたＬＣＤパネルの場合には、それぞれのリフレッシュタイミングにおいてＴＦＴに接続される液晶容量が所与の閾値以下となるように非表示エリアに対応する信号ラインを信号駆動しておくことにより、ライン反転駆動方式に対応したリフレッシュが可能となる。これにより、上述した低消費化の効果に加えて、ＴＦＴを用いたＬＣＤパネルの場合には液晶の劣化を防止するとともに、表示品質を向上させることができるようになる。
【００１６】
また本発明は、前記所与のタイミングは、一垂直走査期間中の帰線期間内に設定されていることを特徴とする。
【００１７】
本発明によれば、一垂直走査期間周期で非表示エリアの走査ラインをリフレッシュすることができるので、リフレッシュ期間が長くなることによる表示品位の低下を防止することができる。
【００１８】
また本発明は、前記ブロック単位は、８走査ライン単位であることを特徴とする。
【００１９】
本発明によれば、キャラクタ文字単位で表示エリアと非表示エリアの設定が可能となり、パーシャル表示制御の簡素化と、効果的なパーシャル表示による画像を提供することができる。
【００２０】
また本発明に係る表示装置は、互いに交差する第１〜第Ｎの走査ライン及び複数の信号ラインにより特定される画素を有する電気光学装置と、前記第１〜第Ｎの走査ラインを走査駆動する上記いずれか記載の走査駆動回路と、画像データに基づいて前記信号ラインを駆動する信号駆動回路とを含むことを特徴とする。
【００２１】
本発明によれば、パーシャル表示制御による低消費電力化を実現する表示装置を提供することができ、例えばアクティブマトリクス型液晶パネルを適用することで、高画質なパーシャル表示をも実現することができる。
【００２２】
また本発明に係る電気光学装置は、互いに交差する第１〜第Ｎの走査ライン及び複数の信号ラインにより特定される画素と、前記第１〜第Ｎの走査ラインを走査駆動する上記いずれか記載の走査駆動回路と、画像データに基づいて前記信号ラインを駆動する信号駆動回路とを含むことを特徴とする。
【００２３】
本発明によれば、パーシャル表示制御による低消費電力化を実現する電気光学装置を提供することができ、例えばアクティブマトリクス型液晶パネルに適用することで、高画質なパーシャル表示をも実現することができる。
【００２４】
また本発明は、各走査ラインに対応して設けられたフリップフロップが直列接続された第１〜第Ｎのフリップフロップを有し、所与のパルス信号を順次シフトするシフトレジスタと、前記第１〜第Ｎのフリップフロップの出力ノードの電圧レベルをシフトして出力する第１〜第Ｎのレベルシフタ回路を含むレベル変換手段と、第１〜第Ｎのレベルシフタ回路の出力ノードの論理レベルに対応して、第１〜第Ｎの走査ラインを順次駆動する第１〜第Ｎの駆動回路を含む走査ライン駆動手段とを有し、互いに交差する第１〜第Ｎの走査ライン及び第１〜第Ｍの信号ラインにより特定される画素を有する電気光学装置の第１〜第Ｎの走査ラインを駆動する走査駆動回路の走査駆動方法であって、前記第１〜第Ｎの走査ラインが複数の走査ラインごとのブロックに分割される場合に、ブロック単位で選択された表示エリアの走査ラインは、順次走査駆動され、ブロック単位で選択された非表示エリアの走査ラインのうち、少なくとも一部の走査ラインは、同時に駆動されることを特徴とする。
【００２５】
本発明によれば、第１〜第Ｎの走査ラインが複数の走査ラインごとのブロックに分割し、このブロック単位で表示エリアと非表示エリアとが設定される場合において、非表示エリアに設定されたブロックの走査ラインの少なくとも一部を、所与のタイミングで同時に駆動するようにしたので、非表示エリアに設定された走査ラインを所与の周期でリフレッシュすることができる走査駆動方法を提供することができるようになる。従って、例えばＴＦＴを用いたＬＣＤパネルにおいて、ＴＦＴのリークによってある時間以上駆動しない場合に現れるグレイ表示等といった不具合を回避できるパーシャル表示制御が可能となり、表示装置の低消費電力化と、パーシャル表示による多様な画面表示とを両立させることができる。
【００２６】
また本発明に係る走査駆動方法は、走査駆動されるブロックが指定されるブロック選択データにより、走査駆動するブロックとして指定されたブロックの走査ラインは、順次駆動され、前記ブロック選択データにより、走査駆動しないブロックとして指定されたブロックの走査ラインのうち、少なくとも一部の走査ラインは、所与のタイミングで同時に駆動されることを特徴とする。
【００２７】
本発明においては、ブロック選択データにより、ブロック単位で、各ブロックの走査ラインを駆動するか否かを設定できるようにしたので、表示エリア及び非表示エリアのブロックを任意に変更することができ、ダイナミックに制御可能なパーシャル表示を容易に実現することができるようになる。
【００２８】
また本発明に係る走査駆動方法は、前記走査駆動回路は、前記シフトレジスタを構成する第１〜第Ｎのフリップフロップのうち第Ｐ（Ｐは、自然数）のブロックの初段のフリップフロップに入力されるシフト入力と、第Ｐのブロックの最終段のフリップフロップから出力されるシフト出力のいずれか一方を、第Ｐのブロックに対応して設定されたブロック選択データに基づいて、第（Ｐ＋１）のブロックに対して出力するためのバイパス手段を有し、前記電気光学装置は、画素に対応して、前記走査ラインと前記信号ラインに接続されたスイッチング手段を介して設けられた画素電極を有し、フレームごとに第１及び第２の電圧レベルを繰り返し反転する極性反転信号に同期して、前記画素電極に対応する電気光学素子の印加電圧の極性反転駆動が行われる場合に、前記ブロック選択データにより走査駆動するブロックとして指定されたブロックの走査ラインは、順次走査駆動され、前記ブロック選択データにより走査駆動しないブロックとして指定されたブロックの走査ラインのうち、前記所与のタイミングが設定される所与の期間中において前記極性反転信号が第１の電圧レベルのときに、第１群の走査ラインは同時に駆動され、前記所与の期間中において前記極性反転信号が第２の電圧レベルのときに、第２群の走査ラインは同時に駆動されることを特徴とする。
【００２９】
本発明においては、ブロック選択データにより走査駆動しないブロックとして指定されたブロックの走査ラインに対応して設けられたフリップフロップに入力されたシフト入力を、隣りのブロックの走査ラインに対応して設けられたフリップフロップにバイパスさせるようにした。従って、表示エリアに設定されたブロックの走査ラインだけ走査駆動を行えばよいので、所与の一垂直走査期間のうち非表示エリアの走査ラインの駆動時間分の消費電力を削減することができる走査駆動方法を提供することができるようになる。
【００３０】
また本発明に係る走査駆動方法は、前記所与のタイミングは、一垂直走査期間中の帰線期間内に設定されていることを特徴とする。
【００３１】
本発明によれば、一垂直走査期間周期で非表示エリアの走査ラインをリフレッシュすることができるので、リフレッシュ期間が長くなることによる表示品位の低下を防止可能な走査駆動方法を提供することができる。
【００３２】
また本発明に係る走査駆動方法は、前記ブロック単位は、８走査ライン単位であることを特徴とする。
【００３３】
本発明によれば、キャラクタ文字単位で表示エリアと非表示エリアの設定が可能となり、パーシャル表示制御の簡素化と、効果的なパーシャル表示による画像を提供できる走査駆動方法を提供することができる。
【００３４】
また本発明は、互いに交差する第１〜第Ｎの走査ライン及び第１〜第Ｍの信号ラインにより特定される画素を有する電気光学装置の走査駆動方法であって、フレームごとに第１及び第２の電圧レベルを繰り返し反転する極性反転信号に同期して、前記画素に対応する電気光学素子の印加電圧の極性反転駆動が行われる場合に、所与の複数の走査ラインごとのブロック単位で選択された非表示エリアの走査ラインの駆動タイミングに対応して、前記極性反転信号を第１及び第２の電圧レベルのいずれか一方に固定させることを特徴とする。
【００３５】
本発明によれば、非表示エリアに設定された走査ラインの走査駆動タイミングに合わせて、極性反転信号を第１及び第２の電圧レベルのいずれか一方に固定するようにしたので、電気光学装置の表示駆動のより一層の低消費化を図ることができる。
【００３６】
【発明の実施の形態】
以下、本発明の好適な実施の形態について図面を用いて詳細に説明する。
【００３７】
１．  表示装置
１．１  表示装置の構成
図１に、本実施形態における走査駆動回路（走査ドライバ）を適用した表示装置の構成の概要を示す。
【００３８】
表示装置としての液晶装置１０は、液晶ディスプレイ（Liquid Crystal Display：以下、ＬＣＤと略す。）パネル２０、信号ドライバ（信号駆動回路）（狭義には、ソースドライバ）３０、走査ドライバ（走査駆動回路）（狭義には、ゲートドライバ）５０、ＬＣＤコントローラ６０、電源回路８０を含む。
【００３９】
ＬＣＤパネル（広義には、電気光学装置）２０は、例えばガラス基板上に形成される。このガラス基板上には、Ｙ方向に複数配列されそれぞれＸ方向に伸びる走査ライン（狭義には、ゲートライン）Ｇ1〜ＧN（Ｎは、２以上の自然数）と、Ｘ方向に複数配列され各々Ｙ方向に伸びる信号ライン（狭義には、ソースライン）信号ラインＳ1〜ＳM（Ｍは、２以上の自然数）とが配置されている。また、走査ラインＧn（１≦ｎ≦Ｎ、ｎは自然数）と信号ラインＳm（１≦ｍ≦Ｍ、ｍは自然数）との交差点に対応して、ＴＦＴ２２nm（広義には、スイッチング手段）が設けられている。
【００４０】
ＴＦＴ２２nmのゲート電極は、走査ラインＧnに接続されている。ＴＦＴ２２nmのソース電極は、信号ラインＳmに接続されている。ＴＦＴ２２nmのドレイン電極は、液晶容量（広義には液晶素子）２４nmの画素電極２６nmに接続されている。
【００４１】
液晶容量２４nmにおいては、画素電極２６nmに対向する対向電極２８nmとの間に液晶が封入されて形成され、これら電極間の印加電圧に応じて画素の透過率が変化するようになっている。
【００４２】
対向電極２８nmには、電源回路８０により生成された対向電極電圧Ｖｃｏｍが供給されている。
【００４３】
信号ドライバ３０は、一水平走査単位の画像データに基づいて、ＬＣＤパネル２０の信号ラインＳ1〜ＳMを駆動する。
【００４４】
走査ドライバ５０は、一垂直走査期間内に、水平同期信号に同期して、ＬＣＤパネル２０の走査ラインＧ1〜ＧNを順次走査駆動する。
【００４５】
ＬＣＤコントローラ６０は、図示しない中央処理装置（Central Processing Unit：以下、ＣＰＵと略す。）等のホストにより設定された内容に従って、信号ドライバ３０、走査ドライバ５０及び電源回路８０を制御する。より具体的には、ＬＣＤコントローラ６０は、信号ドライバ３０及び走査ドライバ５０に対して、例えば動作モードの設定や内部で生成した垂直同期信号や水平同期信号の供給を行い、電源回路８０に対しては対向電極電圧Ｖｃｏｍの極性反転タイミングの供給を行う。
【００４６】
電源回路８０は、外部から供給される基準電圧に基づいて、ＬＣＤパネル２０の液晶駆動に必要な電圧レベルや、対向電極電圧Ｖｃｏｍを生成する。このような各種電圧レベルは、信号ドライバ３０、走査ドライバ５０及びＬＣＤパネル２０に供給される。また、対向電極電圧Ｖｃｏｍは、ＬＣＤパネル２０のＴＦＴの画素電極に対向して設けられた対向電極に供給される。
【００４７】
このような構成の液晶装置１０は、ＬＣＤコントローラ６０の制御の下、外部から供給される画像データに基づいて、信号ドライバ３０、走査ドライバ５０及び電源回路８０が協調してＬＣＤパネル２０を表示駆動する。
【００４８】
なお、図１では、液晶装置１０にＬＣＤコントローラ６０を含めて構成するようにしているが、ＬＣＤコントローラ６０を液晶装置１０の外部に設けて構成するようにしても良い。あるいは、ＬＣＤコントローラ６０と共にホストを液晶装置１０に含めるように構成することも可能である。
【００４９】
（信号ドライバ）
図２に、図１に示した信号ドライバの構成の概要を示す。
【００５０】
信号ドライバ３０は、シフトレジスタ３２、ラインラッチ３４、３６、ディジタル・アナログ変換回路（広義には、駆動電圧生成回路）３８、信号ライン駆動回路４０を含む。
【００５１】
シフトレジスタ３２は、複数のフリップフロップを有しており、これらフリップフロップが順次接続される。このシフトレジスタ３２は、クロック信号ＣＬＫに同期してイネーブル入出力信号ＥＩＯを保持すると、順次クロック信号ＣＬＫに同期して隣接するフリップフロップにイネーブル入出力信号ＥＩＯをシフトする。
【００５２】
また、このシフトレジスタ３２には、シフト方向切り替え信号ＳＨＬが供給される。シフトレジスタ３２は、このシフト方向切り替え信号ＳＨＬにより、画像データ（ＤＩＯ）のシフト方向と、イネーブル入出力信号ＥＩＯの入出力方向が切り替えられる。従って、このシフト方向切り替え信号ＳＨＬによりシフト方向を切り替えることによって、信号ドライバ３０の実装状態により信号ドライバ３０に対して画像データを供給するＬＣＤコントローラ６０の位置が異なった場合であっても、その配線の引き回しによって実装面積が拡大することなく、柔軟な実装を可能にすることができる。
【００５３】
ラインラッチ３４は、ＬＣＤコントローラ６０から例えば１８ビット（６ビット（階調データ）×３（ＲＧＢ各色））単位で画像データ（ＤＩＯ）が入力される。ラインラッチ３４は、この画像データ（ＤＩＯ）を、シフトレジスタ３２の各フリップフロップで順次シフトされたイネーブル入出力信号ＥＩＯに同期してラッチする。
【００５４】
ラインラッチ３６は、ＬＣＤコントローラ６０から供給される水平同期信号ＬＰに同期して、ラインラッチ３４でラッチされた一水平走査単位の画像データをラッチする。
【００５５】
ＤＡＣ３８は、信号ラインごとに、画像データに基づいてアナログ化された駆動電圧を生成する。
【００５６】
信号ライン駆動回路４０は、ＤＡＣ３８によって生成された駆動電圧に基づいて、信号ラインを駆動する。
【００５７】
このような信号ドライバ３０は、ＬＣＤコントローラ６０から順次入力される所与の単位（例えば１８ビット単位）の画像データを順次取り込み、水平同期信号ＬＰに同期して一水平走査単位の画像データをラインラッチ３６で一旦保持する。そして、この画像データに基づいて、各信号ラインを駆動する。この結果、ＬＣＤパネル２０のＴＦＴのソース電極には、画像データに基づく駆動電圧が供給される。
【００５８】
（走査ドライバ）
図３に、図１に示した走査ドライバの構成の概要を示す。
【００５９】
走査ドライバ５０は、シフトレジスタ５２、レベルシフタ（Level Shifter：以下、Ｌ／Ｓと略す。）５４、５６、走査ライン駆動回路５８を含む。
【００６０】
シフトレジスタ５２は、各走査ラインに対応して設けられたフリップフロップが順次接続される。このシフトレジスタ５２は、クロック信号ＣＬＫに同期してイネーブル入出力信号ＥＩＯをフリップフロップに保持すると、順次クロック信号ＣＬＫに同期して隣接するフリップフロップにイネーブル入出力信号ＥＩＯをシフトする。ここで入力されるイネーブル入出力信号ＥＩＯは、ＬＣＤコントローラ６０から供給される垂直同期信号である。
【００６１】
Ｌ／Ｓ５４は、ＬＣＤパネル２０の液晶材とＴＦＴのトランジスタ能力とに応じた電圧レベルにシフトする。この電圧レベルとしては、例えば２０Ｖ〜５０Ｖの高い電圧レベルが必要とされるため、他のロジック回路部とは異なる高耐圧プロセスが用いられる。
【００６２】
走査ライン駆動回路５８は、Ｌ／Ｓ５４によってシフトされた駆動電圧に基づいて、ＣＭＯＳ駆動を行う。また、この走査ドライバ５０は、Ｌ／Ｓ５６を有しており、ＬＣＤコントローラ６０から供給される出力イネーブル信号ＸＯＥＶの電圧シフトが行われる。走査ライン駆動回路５８は、Ｌ／Ｓ５６によってシフトされた出力イネーブル信号ＸＯＥＶにより、オンオフ制御が行われる。
【００６３】
このような走査ドライバ５０は、垂直同期信号として入力されたイネーブル入出力信号ＥＩＯが、クロック信号ＣＬＫに同期してシフトレジスタ５２の各フリップフロップに順次シフトされる。シフトレジスタ５２の各フリップフロップは、各走査ラインに対応して設けられているため、各フリップフロップに保持された垂直同期信号のパルスにより、走査ラインが択一的に順次選択される。選択された走査ラインは、Ｌ／Ｓ５４によってシフトされた電圧レベルで、走査ライン駆動回路５８により駆動される。これにより、ＬＣＤパネル２０のＴＦＴのゲート電極には、一垂直走査周期で所与の走査駆動電圧が供給されることになる。このとき、ＬＣＤパネル２０のＴＦＴのドレイン電極は、ソース電極に接続される信号ラインの電位に対応して、ほぼ同等の電位となる。
【００６４】
（ＬＣＤコントローラ）
図４に、図１に示したＬＣＤコントローラの構成の概要を示す。
【００６５】
ＬＣＤコントローラ６０は、制御回路６２、ランダムアクセスメモリ（Random Access Memory：以下、ＲＡＭと略す。）（広義には、記憶手段）６４、ホスト入出力回路（Ｉ／Ｏ）６６、ＬＣＤ入出力回路６８を含む。更に、制御回路６２は、コマンドシーケンサ７０、コマンド設定レジスタ７２、コントロール信号生成回路７４を含む。
【００６６】
制御回路６２は、ホストによって設定された内容にしたがい、信号ドライバ３０、走査ドライバ５０及び電源回路８０の各種動作モード設定や同期制御等を行う。より具体的には、コマンドシーケンサ７０が、ホストからの指示に従って、コマンド設定レジスタ７２で設定された内容に基づいて、コントロール信号生成回路７４で同期タイミングを生成したり、信号ドライバ等に対して所与の動作モードを設定したりする。
【００６７】
ＲＡＭ６４は、画像表示を行うためのフレームバッファとしての機能を有するとともに、制御回路６２の作業領域にもなる。
【００６８】
このＬＣＤコントローラ６０は、ホストＩ／Ｏ６６を介して、画像データや、信号ドライバ３０及び走査ドライバ５０を制御するためのコマンドデータが供給される。ホストＩ／Ｏ６６には、図示しないＣＰＵや、ディジタル信号処理装置（Digital Signal Processor：ＤＳＰ）あるいはマイクロプロセッサユニット（Micro Processor Unit：ＭＰＵ）が接続される。
【００６９】
ＬＣＤコントローラ６０は、画像データとして図示しないＣＰＵより静止画データが供給されたり、ＤＳＰあるいはＭＰＵより動画データが供給される。また、ＬＣＤコントローラ６０は、コマンドデータとして図示しないＣＰＵより、信号ドライバ３０又は走査ドライバ５０を制御するためのレジスタの内容や、各種動作モードを設定するためのデータが供給される。
【００７０】
画像データとコマンドデータは、それぞれ別個のデータバスを介してデータを供給するようにしても良いし、データバスを共用化しても良い。この場合、例えばコマンド（CoMmanD：ＣＭＤ）端子に入力された信号レベルによって、データバス上のデータが、画像データか、あるいはコマンドデータかを識別できるようにすることで、画像データとコマンドデータとの共用化を容易に図ることができ、実装面積の縮小化が可能になる。
【００７１】
ＬＣＤコントローラ６０は、画像データが供給された場合、この画像データをフレームバッファとしてのＲＡＭ６４に保持する。一方、コマンドデータが供給された場合、ＬＣＤコントローラ６０は、コマンド設定レジスタ７２若しくはＲＡＭ６４に保持する。
【００７２】
コマンドシーケンサ７０は、コマンド設定レジスタ７２に設定された内容に従って、コントロール信号生成回路７４により各種タイミング信号を生成させる。また、コマンドシーケンサ７０は、コマンド設定レジスタ７２に設定された内容に従って、ＬＣＤ入出力回路６８を介して、信号ドライバ３０、走査ドライバ５０若しくは電源回路８０のモード設定を行う。
【００７３】
また、コマンドシーケンサ７０は、コントロール信号生成回路７４で生成された表示タイミングにより、ＲＡＭ６４に記憶された画像データから所与の形式の画像データを生成し、ＬＣＤ入出力回路６８を介して、信号ドライバ３０に供給するようになっている。
【００７４】
１．２  反転駆動方式
ところで、液晶を表示駆動する場合、液晶の耐久性や、コントラストの観点から、周期的に液晶容量に蓄積される電荷を放電する必要がある。そのため、上述した液晶装置１０では、交流化駆動によって、所与の周期で液晶に印加される電圧の極性を反転させることが行われる。この交流化駆動方式としては、例えばフレーム反転駆動方式や、ライン反転駆動方式がある。
【００７５】
フレーム反転駆動方式は、フレームごとに液晶容量に印加される電圧の極性を反転する方式である。一方、ライン反転駆動方式は、ラインごとに液晶容量に印加される電圧の極性を反転する方式である。なお、ライン反転駆動方式の場合も、各ラインに着目すれば、フレーム周期で液晶容量に印加される電圧の極性も反転される。
【００７６】
図５（Ａ）、（Ｂ）に、フレーム反転駆動方式の動作を説明するための図を示す。図５（Ａ）は、フレーム反転駆動方式による信号ラインの駆動電圧及び対向電極電圧Ｖｃｏｍの波形を模式的に示したものである。図５（Ｂ）は、フレーム反転駆動方式を行った場合に、フレームごとに、各画素に対応した液晶容量に印加される電圧の極性を模式的に示したものである。
【００７７】
フレーム反転駆動方式では、図５（Ａ）に示すように信号ラインに印加される駆動電圧の極性が１フレーム周期ごとに反転されている。すなわち、信号ラインに接続されるＴＦＴのソース電極に供給される電圧ＶSは、フレームｆ１では正極性「＋Ｖ」、後続のフレームｆ２では負極性の「−Ｖ」となる。一方、ＴＦＴのドレイン電極に接続される画素電極に対向する対向電極に供給される対向電極電圧Ｖｃｏｍも、信号ラインの駆動電圧の極性反転周期に同期して反転される。
【００７８】
液晶容量には、画素電極と対向電極との電圧の差が印加されるため、図５（Ｂ）に示すようにフレームｆ１では正極性、フレーム２では負極性の電圧がそれぞれ印加されることになる。
【００７９】
図６（Ａ）、（Ｂ）に、ライン反転駆動方式の動作を説明するための図を示す。
【００８０】
図６（Ａ）は、ライン反転駆動方式による信号ラインの駆動電圧及び対向電極電圧Ｖｃｏｍの波形を模式的に示したものである。図６（Ｂ）は、ライン反転駆動方式を行った場合に、フレームごとに、各画素に対応した液晶容量に印加される電圧の極性を模式的に示したものである。
【００８１】
ライン反転駆動方式では、図６（Ａ）に示すように信号ラインに印加される駆動電圧の極性が、各水平走査周期（１Ｈ）ごとに、かつ１フレーム周期ごとに反転されている。すなわち、信号ラインに接続されるＴＦＴのソース電極に供給される電圧ＶSは、フレームｆ１の１Ｈでは正極性「＋Ｖ」、２Ｈでは負極性の「−Ｖ」となる。なお、当該電圧Ｖｓは、フレームｆ２の１Ｈでは負極性「−Ｖ」、２Ｈでは正極性の「＋Ｖ」となる。
【００８２】
一方、ＴＦＴのドレイン電極に接続される画素電極に対向する対向電極に供給される対向電極電圧Ｖｃｏｍも、信号ラインの駆動電圧の極性反転周期に同期して反転される。
【００８３】
液晶容量には、画素電極と対向電極との電圧の差が印加されるため、走査ラインごとに極性を反転することで、図６（Ｂ）に示すようにフレーム周期で、ラインごとに極性が反転する電圧がそれぞれ印加されることになる。
【００８４】
一般的に、フレーム反転駆動方式に比べてライン反転駆動方式のほうが、変化の周期が１ライン周期となるため、画質の向上に貢献できるものの、消費電力が大きくなる。
【００８５】
１．３  液晶駆動波形
図７に、上述した構成の液晶装置１０のＬＣＤパネル２０の駆動波形の一例を示す。ここでは、ライン反転駆動方式により駆動する場合を示している。
【００８６】
上述したように、液晶装置１０では、ＬＣＤコントローラ６０によって生成された表示タイミングに従って、信号ドライバ３０、走査ドライバ５０及び電源回路８０が制御される。ＬＣＤコントローラ６０は、信号ドライバ３０に対しては一水平走査単位の画像データを順次転送するとともに、内部で生成した水平同期信号や反転駆動タイミングを示す極性反転信号ＰＯＬを供給する。また、ＬＣＤコントローラ６０は、走査ドライバ５０に対しては、内部で生成した垂直同期信号を供給する。更に、ＬＣＤコントローラ６０は、電源回路８０に対して対向電極電圧極性反転信号ＶＣＯＭを供給する。
【００８７】
これにより、信号ドライバ３０は、水平同期信号に同期して、一水平走査単位の画像データに基づいて信号ラインの駆動を行う。走査ドライバ５０は、垂直同期信号をトリガとして、ＬＣＤパネル２０にマトリックス状に配置されたＴＦＴのゲート電極に接続される走査ラインを、順次駆動電圧Ｖｇで走査駆動する。電源回路８０は、内部で生成した対向電極電圧Ｖｃｏｍを、対向電極電圧極性反転信号ＶＣＯＭに同期して極性反転を行いながら、ＬＣＤパネル２０の各対向電極に供給する。
【００８８】
液晶容量には、ＴＦＴのドレイン電極に接続される画素電極と対向電極の電圧Ｖｃｏｍとの電圧に応じた電荷が充電される。従って、液晶容量に蓄積された電荷によって保持された画素電極電圧Ｖｐが、所与の閾値ＶCLを越えると画像表示が可能となる。画素電極電圧Ｖｐが所与の閾値ＶCLを越えると、その電圧レベルに応じて画素の透過率が変化し、階調表現が可能となる。
【００８９】
２．  第１の実施形態における走査ドライバ及び走査駆動制御
２．１  ブロック単位の走査駆動制御
走査ドライバ５０は、所与の複数の信号ラインごとに分割されたブロックを単位として指定された走査ラインを順次走査駆動することによって、パーシャル表示を実現することができるようになっている。
【００９０】
より具体的には、走査ドライバ５０は、ブロック単位で設定された表示エリアに対応する走査ラインを対象に順次走査駆動し、ブロック単位で非表示エリアに対応する走査ラインについて走査駆動しないようにする。こうすることで、不要な非表示エリアの走査駆動を省略することができ、低消費電力化を図ることができる。従って、バッテリ駆動される電子機器において、高画質化を実現できるＴＦＴを用いたアクティブマトリクス型液晶パネルを採用すると、従来よりも長時間使用することができるようになる。
【００９１】
以下では、このブロックを８走査ライン単位としている。これにより、ＬＣＤパネル２０の表示エリアをキャラクタ文字（１バイト）単位で設定することができるので、携帯電話機のようなキャラクタ文字の表示を行う電子機器において、効率的な表示エリアの設定及びその画像表示が可能となる。
【００９２】
図８（Ａ）、（Ｂ）、（Ｃ）に、このような走査ドライバにより実現したパーシャル表示の一例を模式的に示す。
【００９３】
例えば、図８（Ａ）に示すようにＬＣＤパネル２０に対して、Ｙ方向に複数の信号ラインが配列されるように信号ドライバ３０を配置し、Ｘ方向に複数の走査ラインが配列されるように走査ドライバ５０を配置した場合、図８（Ｂ）に示すようにブロック単位で非表示エリア１００Ｂを設定する。こうすることで、表示エリア１０２Ａ、１０４Ａに対応するブロックの走査ラインのみを順次走査駆動すればよい。
【００９４】
あるいは、図８（Ｃ）に示すようにブロック単位で表示エリア１０６Ａを設定することで、非表示エリア１０８Ｂ、１１０Ｂに対応するブロックの走査ラインを走査駆動する必要がなくなる。また、図８（Ｂ）、（Ｃ）において、複数の非表示エリア若しくは表示エリアを設定するようにしても良い。
【００９５】
図９（Ａ）、（Ｂ）、（Ｃ）に、走査ドライバにより実現したパーシャル表示の他の例を模式的に示す。
【００９６】
この場合、図９（Ａ）に示すようにＬＣＤパネル２０に対して、Ｘ方向に複数の信号ラインが配列されるように信号ドライバ３０を配置し、Ｙ方向に複数の走査ラインが配列されるように走査ドライバ５０を配置すると、図９（Ｂ）に示すようにブロック単位で非表示エリア１２０Ｂを設定することで、表示エリア１２２Ａ、１２４Ａに対応するブロックの走査ラインのみを順次走査駆動すればよい。
【００９７】
あるいは、図９（Ｃ）に示すようにブロック単位で表示エリア１２６Ａを設定することで、非表示エリア１２８Ｂ、１３０Ｂに対応するブロックの走査ラインを走査駆動する必要がない。なお、図９（Ｂ）、（Ｃ）において、複数の非表示エリア若しくは表示エリアを設定するようにしても良い。
【００９８】
また、各表示エリアは、例えば静止画表示エリアと動画表示エリアとを区切るようにしても良い。こうすることで、ユーザにとって見やすい画面を提供することができるとともに、低消費電力化を図ることが可能となる。
【００９９】
２．２  データバイパス
走査ドライバ５０は、垂直同期信号として入力されたイネーブル入出力信号ＥＩＯをシフトして、走査ラインを順次走査駆動する。その際、ここでは、走査駆動を行わないブロックとして指定されたブロックをバイパスして、順次隣りのブロックにシフトするバイパス手段としてのデータ切り替え回路を有している。これにより、表示エリアとして設定された走査ライン分だけイネーブル入出力信号ＥＩＯがシフトされることになり、非表示エリアとして設定されたブロック内でノードが変化せず、その分消費電力を削減することができる。
【０１００】
図１０（Ａ）、（Ｂ）に、データ切り替え回路の動作の概要を示す。
【０１０１】
所与の複数の走査ラインごとに分割された第１〜第Ｑのブロックのうち、第Ｐのブロック（１≦Ｐ≦Ｑ−１、Ｐは自然数）に対応して設けられたデータ切り替え回路は、ブロック選択データにより走査ラインを駆動するように指定された場合、図１０（Ａ）に示すように第（Ｐ−１）のブロックの最終段のＦＦからのシフト入力を順次シフトして、第（Ｐ＋１）のブロックに供給する。こうすることで、第Ｐのブロックのシフトレジスタを構成するＦＦのシフト出力に基づいて、第Ｐのブロックの走査ラインが駆動される。
【０１０２】
一方、第Ｐのブロックに対応して設けられたデータ切り替え回路は、ブロック選択データにより走査ラインを駆動しないように指定された場合、図１０（Ｂ）に示すように、第Ｐのブロックの初段のＦＦに入力されるシフト入力と、第Ｐのブロックの最終段のＦＦのシフト出力のうち、第Ｐのブロックの初段のＦＦに入力されるシフト入力をバイパスして第（Ｐ＋１）のブロックに供給する。
【０１０３】
例えば、ブロック選択データによりブロックＢ１の走査ラインを駆動しないように指定した場合、ブロックＢ０のＦＦ1に供給されるイネーブル入出力信号ＥＩＯは、ＦＦ2〜ＦＦ8によりクロック信号ＣＬＫに同期してシフトされるが、ブロックＢ１に対応して設けられたデータ切り替え回路により、ブロックＢ２のＦＦ17にＦＦ8のシフト出力が供給されることになる。
【０１０４】
なお、このようなデータ切り替え回路は、所与のシフト方向切り替え信号ＳＨＬにより、イネーブル入出力信号ＥＩＯのシフト方向を切替可能とするために、各ブロックについて逆側に設けるようにすることも可能である。この場合、ブロックＢＱ〜Ｂ１に対応したデータ切り替え回路が設けられることになる。
【０１０５】
このようなデータ切り替え回路を設け、非表示エリアに設定されたブロックについては、イネーブル入出力信号ＥＩＯのシフトをバイパスさせるようにしたので、非表示エリアに設定されたブロック内はノード変化を抑え、低消費化を図ることができる。この結果、一垂直走査期間内に走査駆動を行わない期間を帰線期間として設けることができる。
【０１０６】
２．３  リフレッシュ
これまで、ＴＦＴを用いたアクティブマトリクス型液晶パネルでは、ダイナミックに切り替え可能なパーシャル表示制御が行われていなかった。
【０１０７】
上述したように、ＬＣＤパネル２０においては、液晶の寿命の関係で、例えば６０分の１秒ごとに交流化駆動が行われている。このため、ＬＣＤパネル２０では、ＬＣＤコントローラ６０により生成された極性反転信号ＰＯＬと対向電極電圧極性反転信号ＶＣＯＭとに同期して、画素に対応して設けられた液晶容量の印加電圧の極性反転駆動が行われる。
【０１０８】
極性反転信号ＰＯＬと、対向電極電圧極性反転信号ＶＣＯＭは、ほぼ同一タイミングで変化し、液晶容量の応答性を考慮した分だけ変化タイミングがずれた信号である。従って、この液晶容量の応答速度が無視できる場合には、極性反転信号ＰＯＬと対向電極電圧極性反転信号ＶＣＯＭとを同一の極性反転信号として扱うことも可能である。
【０１０９】
図１１に、液晶装置における極性反転信号ＰＯＬと対向電極電圧極性反転信号ＶＣＯＭの接続関係の一例を模式的に示す。
【０１１０】
このように極性反転信号ＰＯＬは、ＬＣＤコントローラ６０により生成され、信号ドライバ３０に対して供給される。また、対向電極電圧極性反転信号ＶＣＯＭは、ＬＣＤコントローラ６０により生成され、少なくとも電源回路８０に対して供給される。なお、ここでは、この対向電極電圧極性反転信号ＶＣＯＭは、後述するように走査ドライバ５０に対しても供給されている。
【０１１１】
信号ドライバ３０は、極性反転信号ＰＯＬに同期して、信号ラインを駆動する電圧レベルを変化させる。電源回路８０は、対向電極電圧極性反転信号ＶＣＯＭに同期して、画素に対応して設けられた画素電極の対向電極に印加される対向電極電圧Ｖｃｏｍの極性を反転させる。
【０１１２】
従って、例えばフレームごとに全信号ラインについて、極性反転信号ＰＯＬにより駆動電圧レベルを変化させるとともに、対向電極電圧極性反転信号ＶＣＯＭにより対向電極電圧Ｖｃｏｍの極性を変化させることにより、フレーム反転駆動方式を実現させることができる。また、例えば互いに隣接する信号ライン同士で反転する極性を、更にフレームごとに、極性反転信号ＰＯＬにより駆動電圧レベルを変化させるとともに、対向電極電圧極性反転信号ＶＣＯＭにより対向電極電圧Ｖｃｏｍの極性を変化させることにより、ライン反転駆動方式を実現させることができる。
【０１１３】
しかしながら、液晶容量に電荷が蓄積された状態でゲート電極をオンにしてしまうと液晶が劣化してしまうため、液晶容量に蓄積される電荷を放電する必要がある。そこで、ＴＦＴを用いたアクティブマトリクス型液晶パネルでは、非表示エリアについては、液晶容量の画素電極と対向電極との電圧差を０にすることが行われる。
【０１１４】
ところが、ＴＦＴのリークによって液晶容量には次第に電荷が蓄積されてしまうので、ＴＦＴのゲート電極をオフの状態を維持したとしても、最終的には閾値ＶCLを越える電荷が蓄積されることになり、その結果画素の透過率が変化し、例えばグレイ表示となり、いわゆるパーシャル表示ができなくなる。
【０１１５】
このように、ＳＴＮ液晶を用いたパッシブマトリクス型液晶パネルの場合には走査駆動しない限り容易に実現できたパーシャル表示制御方法を、ＴＦＴを用いたアクティブマトリクス型液晶パネルにそのまま適用することはできない。従って、これまでＴＦＴを用いたアクティブマトリクス型液晶パネルにおいて非表示エリアを設定した場合、電源投入時から固定的に設定するしかなく、ダイナミックに切り替え可能なパーシャル表示制御を行うことができなかった。
【０１１６】
これに対して、第１の実施形態では、ＴＦＴのゲート電極の電圧を制御することにより、ダイナミックに切り替え可能なパーシャル表示制御を実現する。より具体的には、所与の周期で非表示エリアの液晶容量をリフレッシュして蓄積された電荷の放電を行うことで、ダイナミックに切り替え可能なパーシャル表示を実現し、非表示エリアの走査駆動に消費される電力を低減若しくは削減することが可能となる。
【０１１７】
そこで、第１の実施形態における走査ドライバ５０は、上述した反転駆動方式に対応するため、図１１に示すように極性反転信号としての対向電極電圧極性反転信号ＶＣＯＭがＬＣＤコントローラ６０から供給され、この対向電極電圧極性反転信号ＶＣＯＭに同期して、ＴＦＴのゲート電極の電圧を制御してリフレッシュを行う。
【０１１８】
２．３．１  リフレッシュタイミング
第１の実施形態では、上述したようなデータ切り替え回路を設けることによって、走査駆動を行わないブロックの走査駆動期間が、一垂直走査期間内に設けられる。そこで、この期間を帰線期間として、ブロック単位で指定された非表示エリアの走査ラインに接続されたＴＦＴの液晶容量に蓄積された電荷を放電するためのリフレッシュタイミング（非表示エリアリフレッシュ期間）として利用する。
【０１１９】
図１２に、第１の実施形態における走査ドライバが、ライン反転駆動方式により走査駆動する場合の一垂直走査期間内の各種タイミングの一例を示す。
【０１２０】
走査ドライバ５０は、ブロック単位で設定された表示エリアの走査ラインを走査駆動する。ＬＣＤパネル２０には、走査ラインごとに論理レベルが反転する対向電極電圧極性反転信号ＶＣＯＭが供給され、ライン反転駆動が行われている。
【０１２１】
走査ドライバ５０は、上述したようなデータ切り替え回路により、ブロック単位で非表示エリアに設定されたブロックの走査ラインについては、走査駆動を行わない。そのため、垂直走査期間（１ｆ）開始後の表示リエア走査駆動期間ＴＴ１経過後は、帰線期間ＴＴ２となる。走査ドライバ５０は、表示エリア走査駆動期間ＴＴ１では、表示エリアに設定されたブロックの走査ライン（ＧD）を順次走査駆動するが、帰線期間ＴＴ２では各走査ラインを駆動しない。
【０１２２】
第１の実施形態では、一垂直走査期間（１ｆ）内で対向電極電圧極性反転信号ＶＣＯＭの最後の１サイクルを非表示エリアリフレッシュ期間Ｔｒｆとし、当該期間において、対向電極電圧極性反転信号ＶＣＯＭが第１の電圧レベル（論理レベル「Ｈ」）のとき、非表示エリアに設定されたブロックの偶数（奇数）番目の走査ラインＧ2L-1（Ｌは、自然数）を全て同時に駆動する。また、当該期間において、対向電極電圧極性反転信号ＶＣＯＭが第２の電圧レベル（論理レベル「Ｌ」）のとき、非表示エリアに設定されたブロックの奇数（偶数）番目の走査ラインＧ2Lを全て同時に駆動する。
【０１２３】
なお、フレーム反転駆動方式の場合、一垂直走査期間内で対向電極電圧極性反転信号ＶＣＯＭの最後の１サイクルにおいて、対向電極電圧極性反転信号ＶＣＯＭが第１の電圧レベル若しくは第２の電圧レベルのとき、非表示エリアに設定されたブロックの走査ライン全てを同時に駆動する。
【０１２４】
後続するフレームでは、論理レベルが反転した対向電極電圧極性反転信号ＶＣＯＭが走査ドライバ５０に供給され、同様に各走査ラインが駆動される。
【０１２５】
こうすることで、少なくともフレーム周期で非表示エリアに設定された走査ラインに接続される液晶容量の電荷を放電させることが可能となるので、ＴＦＴのリークによるグレイ表示等を回避して、ＴＦＴを用いたＬＣＤパネルによる高画質という利点を生かしつつ、低消費電力化とパーシャル表示品質の向上とを両立させることが可能となる。
【０１２６】
次に、このような第１の実施形態における走査ドライバ５０の具体的な構成例について説明する。
【０１２７】
２．４  具体的な構成例
図１３に、第１の実施形態における走査ドライバの構成の一例を示す。
【０１２８】
第１の実施形態における走査ドライバ５０は、シフトレジスタ５２、Ｌ／Ｓ５４、５６、２００、２０２、走査ライン駆動回路５８を含む。
【０１２９】
シフトレジスタ５２においては、走査ラインＧ1〜ＧN（第１〜第Ｎの走査ライン）のそれぞれに対応して設けられたフリップフロップ（Flip-Flop：以下、ＦＦと略す。）1〜ＦＦN（第１〜第ＮのＦＦ）が直列に接続される。ＦＦ1（第１のＦＦ）には、ＬＣＤコントローラ６０から供給されるイネーブル入出力信号ＥＩＯが供給される。また、ＦＦ1〜ＦＦNには、同様にＬＣＤコントローラ６０からクロック信号ＣＬＫが供給される。すなわち、ＦＦ1〜ＦＦNは、クロック信号ＣＬＫに同期してイネーブル入出力信号ＥＩＯ（所与のパルス信号）を順次シフトする。
【０１３０】
ＬＣＤコントローラ６０から供給されるイネーブル入出力信号ＥＩＯは、垂直同期信号である。また、ＬＣＤコントローラ６０から供給されるクロック信号ＣＬＫは、水平同期信号である。
【０１３１】
Ｌ／Ｓ５４は、走査ラインＧ1〜ＧNのそれぞれに対応して設けられたレベルシフタ回路ＬＳ1〜ＬＳN（第１〜第Ｎのレベルシフタ回路）を有しており、対応するＦＦ1〜ＦＦNの保持データの高電位側の電圧レベルを例えば２０〜５０Ｖの電圧レベルにシフトする。
【０１３２】
Ｌ／Ｓ５６は、ＬＣＤコントローラ６０から供給される出力イネーブル信号ＸＯＥＶの反転信号の高電位側の電圧レベルを例えば２０〜５０Ｖの電圧レベルにシフトする。
【０１３３】
Ｌ／Ｓ２００は、ＬＣＤコントローラ６０から供給される対向電極電圧極性反転信号ＶＣＯＭの高電位側の電圧レベルを例えば２０〜５０Ｖの電圧レベルにシフトする。
【０１３４】
Ｌ／Ｓ２０２は、ＬＣＤコントローラ６０から供給される書き込みイネーブル信号ＷＥＮの高電位側の電圧レベルを例えば２０〜５０Ｖの電圧レベルにシフトする。この書き込みイネーブル信号ＷＥＮは、非表示エリアリフレッシュ期間において、非表示エリアの各走査ラインを同時に駆動させる。
【０１３５】
走査ライン駆動回路５８は、走査ラインＧ1〜ＧNのそれぞれに対応して、３入力１出力ＡＮＤ回路２０４1〜２０４N、２０６1〜２０６N、２入力１出力ＯＲ回路２０８1〜２０８N、ＣＭＯＳバッファ回路２１０1〜２１０Nを含む。３入力１出力ＡＮＤ回路２０４1〜２０４N、２０６1〜２０６N、２入力１出力ＯＲ回路２０８1〜２０８N、ＣＭＯＳバッファ回路２１０1〜２１０Nは、上述した例えば２０〜５０Ｖの電圧レベルで動作可能な高耐圧プロセスにより形成される。なお、この電圧レベルは、例えば駆動対象のＬＣＤパネル２０の液晶材等に応じて決められる。
【０１３６】
走査ラインＧi（１≦ｉ≦Ｎ、ｉは自然数）に対応して設けられた３入力１出力ＡＮＤ回路２０４iには、ＦＦiの保持データがＬＳiによってレベルシフトされた論理レベルと、当該走査ラインのブロック選択データと、Ｌ／Ｓ５６によってレベルシフトされた出力イネーブル信号ＸＯＥＶとが供給される。３入力１出力ＡＮＤ回路２０４iの出力ノードは、２入力１出力ＯＲ回路２０８iの一方の入力端子に接続される。
【０１３７】
走査ラインＧiのうち、奇数ライン目に対応して設けられた３入力１出力ＡＮＤ回路２０６iには、当該走査ラインのブロック選択データの反転信号と、Ｌ／Ｓ２００によってレベルシフトされた対向電極電圧極性反転信号ＶＣＯＭと、Ｌ／Ｓ２０２によってレベルシフトされた書き込みイネーブル信号ＷＥＮとが供給される。また、走査ラインＧiのうち、偶数ライン目に対応して設けられた３入力１出力ＡＮＤ回路２０６iには、当該走査ラインのブロック選択データの反転信号と、Ｌ／Ｓ２００によってレベルシフトされた対向電極電圧極性反転信号ＶＣＯＭの反転信号と、Ｌ／Ｓ２０２によってレベルシフトされた書き込みイネーブル信号ＷＥＮとが供給される。
【０１３８】
３入力１出力ＡＮＤ回路２０６iの出力ノードは、２入力１出力ＯＲ回路２０８iの他方の入力端子に接続される。
【０１３９】
２入力１出力ＯＲ回路２０８iの出力ノードは、ＣＭＯＳバッファ回路２１０iの入力端子に接続される。ＣＭＯＳバッファ回路２１０iは、走査ラインＧiを駆動する。
【０１４０】
ブロック選択データは、ブロック単位に設けられるＦＦB0〜ＦＦBQに保持される。ＦＦB0には、ＬＣＤコントローラ６０からシリアル入力されるブロック選択データＢＬＫが供給される。ＦＦB0〜ＦＦBQは、ＬＣＤコントローラ６０から、シリアル入力されるブロック選択データＢＬＫを順次取り込むためのクロック信号ＢＣＬＫが共通に供給される。ＦＦB0〜ＦＦBQは、ＦＦB0に供給されたブロック選択データＢＬＫを、クロック信号ＢＣＬＫに同期して順次シフトする。
【０１４１】
このような走査ライン駆動回路においては、非表示エリアのブロックとしてブロック選択データが「０」に設定されている場合、対向電極極性反転信号ＶＣＯＭと、書き込みイネーブル信号ＷＥＮとの論理積に応じて、走査ラインＧiが駆動される。この際、ブロック内の隣接する走査ラインに対しては、対向電極極性反転信号ＶＣＯＭの極性が互いに相反する状態で供給されるため、例えば偶数ライン目の走査ラインが駆動される場合は奇数ライン目の走査ラインが駆動されず、奇数ライン目の走査ラインが駆動される場合は偶数ライン目の走査ラインが駆動されない。
【０１４２】
一方、走査ライン駆動回路において、表示エリアのブロックとしてブロック選択データが「１」に設定されている場合、出力イネーブル信号ＸＯＥＶの反転信号とＬＳiの出力ノードの論理積に応じて、走査ラインＧiが駆動される。
【０１４３】
すなわち、表示エリアに設定されたブロックの走査ラインは、シフトレジスタ５２のＦＦ1〜ＦＦNを順次シフトされるイネーブル入出力信号ＥＩＯのシフトタイミングに従って、駆動される。また、非表示エリアに設定されたブロックの走査ラインは、ＬＣＤコントローラ６０から供給される対向電極極性反転信号ＶＣＯＭと、書き込みイネーブル信号ＷＥＮとによって駆動される。
【０１４４】
更に、走査ドライバ５０は、イネーブル入出力信号ＥＩＯをブロック単位にバイパスするためのデータ切り替え回路（バイパス手段）２１２0〜２１２Q-1が設けられている。
【０１４５】
このデータ切り替え回路は、図１０（Ａ）、（Ｂ）に示したように、例えば、ブロック選択データによりブロックＢ１の走査ライン駆動を行わないように指定した場合、ブロックＢ０のＦＦ1に供給されるイネーブル入出力信号ＥＩＯは、ＦＦ2〜ＦＦ8によりクロック信号ＣＬＫに同期してシフトされるが、ブロックＢ１のＦＦ9に対応して設けられたデータ切り替え回路２１２1により、ブロックＢ２のＦＦ17にＦＦ8のシフト出力が供給されることになる。
【０１４６】
より具体的には、ブロックＢ０に対応して設けられたデータ切り替え回路２１２0は、前段のブロックから供給されるシフト出力（ブロックＢ０ではＦＦ1に供給されるイネーブル入出力信号ＥＩＯ）と、当該ブロックの最終段のＦＦのシフト出力（ブロックＢ０ではＦＦ8から出力されるシフト出力）とを、当該ブロックのブロック選択データにより切り替える。データ切り替え回路２１２0により切り替えらた出力信号は、ブロックＢ１に供給される。
【０１４７】
なお、このようなデータ切り替え回路は、所与のシフト方向切り替え信号ＳＨＬにより、イネーブル入出力信号ＥＩＯのシフト方向を切り替え可能とするために、各ブロックについて逆側に設けるようにすることも可能である。この場合、ブロックＢＱ〜Ｂ１に対応したデータ切り替え回路が設けられることになる。
【０１４８】
図１４に、第１の実施形態における走査ドライバの動作タイミングの一例をしめす。
【０１４９】
ここでは、ブロックＢ１が表示エリアに設定され、ブロックＢ０、Ｂ２、・・・が非表示エリアに設定されているものとする。すなわち、ブロックＢ１のＦＦB1に保持されるブロック選択データが「１」、ブロックＢ０のＦＦB0、ブロックＢ２のＦＦB2、・・に保持されるブロック選択データが「０」であるものとする。
【０１５０】
また、対向電極極性反転信号ＶＣＯＭは、１ライン走査周期で、極性が反転して入力される。
【０１５１】
垂直同期信号としてイネーブル入出力信号ＥＩＯが供給されると、ブロックＢ０のブロック選択データが「０」であるため、データ切り替え回路２１２0により、イネーブル入出力信号ＥＩＯがブロックＢ１にバイパスされる。
【０１５２】
従って、出力イネーブル信号ＸＯＥＶの論理レベルが「Ｌ」の場合、タイミングｔｂ１から、クロック信号ＣＬＫに同期して、ブロックＢ１の走査ラインＧ9〜Ｇ16が、順次走査駆動される。それ以降、ブロックＢ２、Ｂ３は、ブロック選択データが「０」とであるため、走査駆動されない。すなわち、１フレーム周期Ｔにおいて期間Ｔｄｉｓｐだけ、表示エリアの走査駆動が行われる。従って、「Ｔ−Ｔｄｉｓｐ」の期間を帰線期間とし、走査駆動を行う必要がなくなり、低消費化を図ることができる。
【０１５３】
更に、第１の実施形態では、対向電極電圧極性反転信号ＶＣＯＭの１フレームの最後の１サイクルを利用して、非表示エリアに設定されたブロックの走査ラインを同時に駆動するようになっている。そのため、ＬＣＤコントローラ６０は、この最後の１サイクルにおいて、対向電極電圧極性反転信号ＶＣＯＭの論理レベルが「Ｈ」、「Ｌ」のときに、それぞれ書き込みイネーブル信号ＷＥＮのパルスを供給する。
【０１５４】
従って、対抗電極電圧極性反転信号ＶＣＯＭの論理レベルが「Ｈ」のときは、非表示エリアに設定されたブロックの走査ラインのうち奇数ライン目の走査ラインが同時に駆動される。図１４では、ブロックＢ０、Ｂ２、・・・の奇数ライン目の走査ラインＧ1、Ｇ3、・・・Ｇ7、Ｇ17、Ｇ19、・・・が駆動されることになる。
【０１５５】
このとき、信号ドライバ３０により、非表示エリアの画素の液晶の画素電極電圧と対向電極電圧との電圧差が所与の閾値ＶCLを越えないような駆動電圧を、対応する信号ラインに供給するようにする。こうすることで、非表示エリアに設定されたブロックの奇数ライン目のＴＦＴに接続された液晶容量を周期的にリフレッシュすることができる。
【０１５６】
また、対抗電極電圧極性反転信号ＶＣＯＭの論理レベルが「Ｌ」のときは、非表示エリアに設定されたブロックの走査ラインのうち偶数ライン目の走査ラインが同時に駆動される。図１４では、ブロックＢ０、Ｂ２、・・・の偶数ライン目の走査ラインＧ2、Ｇ4、・・・Ｇ8、Ｇ18、Ｇ20、・・・が駆動されることになる。
【０１５７】
このとき、信号ドライバ３０により、非表示エリアの画素の液晶の画素電極電圧と対向電極電圧との電圧差が所与の閾値ＶCLを越えないような駆動電圧を、対応する信号ラインに供給するようにする。こうすることで、非表示エリアに設定されたブロックの偶数ライン目のＴＦＴに接続された液晶容量を周期的にリフレッシュすることができる。
【０１５８】
これにより、表示エリアのみを走査駆動するだけで済むので低消費化を図ることができるとともに、１フレーム周期で、ＴＦＴのゲート電極をオンにして液晶容量に蓄積された電荷を放電させることができるので、ＴＦＴのリークによる非表示エリアの表示品質の低下を防止することができるようになる。
【０１５９】
（変形例）
図１５に、第１の実施形態における走査ドライバの変形例の構成を示す。
【０１６０】
ただし、図１３に示す走査ドライバと同一部分には同一符号を付し、適宜説明を省略する。
【０１６１】
本変形例における走査ドライバ２２０が、第１の実施形態における走査ドライバ５０と異なる点は、シフトレジスタ２２２において、クロック信号ＢＣＬＫのシフト出力に同期して、ブロック選択データＢＬＫをラッチ（ＬＴ）によりラッチさせるようにしたところにある。こうすることでも、ブロック単位にブロック選択データを設定して、上述した走査駆動制御を同様に行うことができる。
【０１６２】
なお、第１の実施形態では、１フレーム期間中の最後の１サイクルに帰線期間を設けるものとして説明したが、これに限定されるものではない。
【０１６３】
３．  第２の実施形態における走査ドライバ
第１の実施形態における走査ドライバは、一般的な走査ドライバの構成を変更することで、パーシャル表示制御による低消費化を実現していたが、第２の実施形態における走査ドライバは、より簡素な構成で、パーシャル表示制御による低消費化を実現する。
【０１６４】
この第２の実施形態における走査ドライバは、第１の実施形態における走査ドライバと同様にブロック単位でパーシャル表示制御を行う。
【０１６５】
３．１  リフレッシュ
上述したように、ＳＴＮ液晶を用いたパッシブマトリクス型液晶パネルの場合には走査駆動しない限り容易に実現できたパーシャル表示制御方法を、ＴＦＴを用いたアクティブマトリクス型液晶パネルにそのまま適用することはできない。従って、これまでＴＦＴを用いたアクティブマトリクス型液晶パネルにおいて非表示エリアを設定した場合、電源投入時から固定的に設定するしかなく、ダイナミックに切り替え可能なパーシャル表示制御を行うことができなかった。
【０１６６】
第２の実施形態では、ブロック単位のパーシャル表示制御により、非表示エリアの走査駆動に消費される電力を低減若しくは削減するとともに、ブロック単位で表示エリアに設定された走査ラインについて１フレーム周期で走査駆動を行い、ブロック単位で非表示エリアに設定された走査ラインを含む全走査ラインについて３フレーム以上の任意の奇数フレーム周期で走査駆動することで、ＴＦＴを用いたＬＣＤパネルに必要とされるリフレッシュを行う。
【０１６７】
図１６（Ａ）、（Ｂ）に、第２の実施形態における走査ドライバの動作の一例を示す。
【０１６８】
例えば、ＬＣＤパネル２０のＹ軸方向に複数の走査ラインが配列された場合に、図１６（Ａ）に示すようにブロック単位に表示エリア及び非表示エリアＡ、Ｂが設定されているものとする。
【０１６９】
第２の実施形態における走査ドライバは、表示エリア及び非表示エリアＡ、Ｂのブロックの全走査ラインを順次走査駆動するフレームを１フレーム目とした場合に、例えば図１６（Ｂ）に示すように２フレームを空けた４フレーム目で、ＬＣＤパネル２０の全走査ラインを順次走査駆動する。すなわち、図１６（Ｂ）では、３フレーム周期でＬＣＤパネル２０の全走査ラインを走査駆動している。
【０１７０】
例えば１フレーム目の液晶容量の印加電圧の極性が正の場合、４フレーム目の当該液晶容量の印加電圧の極性が負となり、７フレーム目の当該液晶容量の印加電圧の極性が正となって、交流化駆動を実現させることができる。しかも、全走査ラインを走査駆動するフレーム（１フレーム目と４フレーム目）の間の２フレーム目及び３フレーム目において、非表示エリアＡ、Ｂに対応する走査ラインを走査駆動しないため、その分電力消費を低減させることが可能となる。
【０１７１】
これにより、ＴＦＴを用いたアクティブマトリクス型液晶パネルにおいてフレーム周期で交流化駆動が行われる場合に、液晶容量の印加電圧の極性反転を行うとともに、不要な走査駆動の削減による消費電力の低減が可能となる。
【０１７２】
３．２  極性反転信号の動作制御
第２の実施形態では、上述した液晶反転駆動に対応したパーシャル表示制御を行うことによって、表示品質の劣化を防止して低消費化を図るとともに、非表示エリアの駆動期間において、図１１に示す極性反転信号（対向電極電圧極性反転信号ＶＣＯＭ、極性反転信号ＰＯＬ）の動作を停止させることで更に低消費化を図る。
【０１７３】
図１７（Ａ）、（Ｂ）、（Ｃ）、（Ｄ）、（Ｅ）に、対向電極電圧極性反転信号ＶＣＯＭの動作停止タイミングの一例を示す。
【０１７４】
全走査ラインが表示エリアに設定されている場合、図１７（Ａ）に示すように、ライン反転駆動方式により、１ライン走査周期で極性が反転する対向電極電圧極性反転信号ＶＣＯＭが供給される。
【０１７５】
例えば、対向電極電圧極性反転信号ＶＣＯＭの極性が負となるべき走査ライン２Ｈ＋２から、対向電極電圧極性反転信号ＶＣＯＭの極性が正となる走査ライン２Ｊ＋１の間が非表示エリアとして設定された場合、図１７（Ｂ）に示す期間Ｔｎｄ１だけ対向電極電圧極性反転信号の極性が正となる。従って、この間の極性反転が停止して、消費電力を削減することができる。
【０１７６】
また、同様に、対向電極電圧極性反転信号ＶＣＯＭの極性が負となるべき走査ライン２Ｈ＋２から、対向電極電圧極性反転信号ＶＣＯＭの極性が負となる走査ライン２Ｊの間が非表示エリアとして設定された場合、図１７（Ｃ）に示す期間Ｔｎｄ２だけ対向電極電圧極性反転信号の極性が正となり、結果的に図１７（Ｂ）と同様の制御タイミングとなる。
【０１７７】
更に、対向電極電圧極性反転信号ＶＣＯＭの極性が正となるべき走査ライン２Ｈ＋１から、対向電極電圧極性反転信号ＶＣＯＭの極性が負となる走査ライン２Ｊ＋２の間が非表示エリアとして設定された場合、図１７（Ｄ）に示す期間Ｔｎｄ３だけ対向電極電圧極性反転信号の極性が負となる。
【０１７８】
また、同様に、対向電極電圧極性反転信号ＶＣＯＭの極性が正となるべき走査ライン２Ｈ＋１から、対向電極電圧極性反転信号ＶＣＯＭの極性が正となる走査ライン２Ｊ＋１の間が非表示エリアとして設定された場合、図１７（Ｅ）に示す期間Ｔｎｄ４だけ対向電極電圧極性反転信号の極性が負となり、結果的に図１７（Ｄ）と同様の制御タイミングとなる。
【０１７９】
以上のように、対向電極電圧極性反転信号ＶＣＯＭを制御することで、ライン反転駆動を実現する一方、非表示エリアとして設定されたブロックの走査ラインの走査タイミングに合わせて、対向電極電圧極性反転信号ＶＣＯＭの動作を停止させることで更に低消費化を図ることができるようになる。なお、極性反転信号ＰＯＬについても同様に動作停止制御することができる。
【０１８０】
３．３  具体的な構成例
図１８に、第２の実施形態における走査ドライバの具体的な構成例を示す。
【０１８１】
第２の実施形態における走査ドライバ２５０は、シフトレジスタ２５２、Ｌ／Ｓ２５４、２５６、走査ライン駆動回路２５８を含む。
【０１８２】
シフトレジスタ２５２は、走査ラインＧ1〜ＧNのそれぞれに対応して設けられたＦＦ1〜ＦＦNが直列に接続される。ＦＦ1（第１のＦＦ）には、ＬＣＤコントローラ６０から供給されるイネーブル入出力信号ＥＩＯが供給される。また、ＦＦ1〜ＦＦNは、同様にＬＣＤコントローラ６０からクロック信号ＣＬＫが供給される。従って、ＦＦ1〜ＦＦNは、クロック信号ＣＬＫに同期してイネーブル入出力信号ＥＩＯ（所与のパルス信号）を順次シフトする。
【０１８３】
ＬＣＤコントローラ６０から供給されるイネーブル入出力信号ＥＩＯは、垂直同期信号である。また、ＬＣＤコントローラ６０から供給されるクロック信号ＣＬＫは、水平同期信号である。
【０１８４】
Ｌ／Ｓ２５４は、走査ラインＧ1〜ＧNのそれぞれに対応して設けられたレベルシフタ回路ＬＳ1〜ＬＳN（第１〜第Ｎのレベルシフタ回路）を有しており、対応するＦＦ1〜ＦＦNの保持データの高電位側の電圧レベルを例えば２０〜５０Ｖの電圧レベルにシフトする。
【０１８５】
Ｌ／Ｓ２５６は、ＬＣＤコントローラ６０から供給される出力イネーブル信号ＸＯＥＶの反転信号の高電位側の電圧レベルを例えば２０〜５０Ｖの電圧レベルにシフトする。
【０１８６】
走査ライン駆動回路２５８は、走査ラインＧ1〜ＧNのそれぞれに対応して、マスク回路としてのＡＮＤ回路２６０1〜２６０N、ＣＭＯＳバッファ回路２６２1〜２６２Nを含む。ＡＮＤ回路２６０1〜２６０N及びＣＭＯＳバッファ回路２６２1〜２６２Nは、上述した例えば２０Ｖ〜５０Ｖの電圧レベルで動作可能な高耐圧プロセスにより形成される。なお、この電圧レベルは、例えば駆動対象のＬＣＤパネル２０の液晶材等に応じて決められる。
【０１８７】
このような構成の走査ドライバ２５０は、ＬＣＤコントローラ６０から供給される出力イネーブル信号ＸＯＥＶのタイミング制御によって、表示エリアに設定された走査ラインを対象に順次走査駆動する。
【０１８８】
すなわち、図示しないホストによってＬＣＤパネル２０の表示領域が全て表示エリアに設定されたＬＣＤコントローラ６０は、所与の垂直走査周期で垂直同期信号、所与の水平走査周期で水平同期信号を、それぞれ走査ドライバ２５０に供給する。このとき、ＬＣＤコントローラ６０は、出力イネーブル信号ＸＯＥＶの論理レベル「Ｌ」の状態のままにすることで、ＣＭＯＳバッファ回路２６２1〜２６２Nは、ＬＳ1〜ＬＳNの論理レベルに対応した電位で各走査ラインＧ1〜ＧNを順次駆動する。
【０１８９】
一方、ＬＣＤパネル２０の表示領域において非表示エリアが設定されたＬＣＤコントローラ６０は、上述したタイミングと同じタイミングの垂直同期信号及び水平同期信号と、非表示エリアに対応する走査ラインの走査タイミングに同期して論理レベルが「Ｈ」となる出力イネーブル信号ＸＯＥＶを走査ドライバ２５０に供給する。
【０１９０】
すなわち、走査ラインＧ1〜ＧNは択一的に駆動されるため、非表示エリアに対応する走査タイミングに合わせて出力イネーブル信号ＸＯＥＶを供給することで、ＡＮＤ回路によりＬＳの出力ノードの論理レベルがマスクされて論理レベル「Ｌ」となるため、当該走査ラインの駆動は行われない。第２の実施形態では、８走査ライン単位を１ブロックとしてパーシャル表示制御が行われる。そのため、ＬＣＤコントローラ６０は、走査ドライバ２５０に対して、ブロック単位で制御される出力イネーブル信号ＸＯＥＶを供給する。
【０１９１】
図１９に、第２の実施形態における走査ドライバ２５０によるパーシャル表示制御タイミングの一例を示す。
【０１９２】
ここでは、ブロックＢ１のみが表示エリアに設定され、ブロックＢ０、Ｂ２、・・・が非表示エリアに設定されているものとする。
【０１９３】
上述したように液晶の劣化を防止するため、ＴＦＴに接続された液晶容量に蓄積された電荷を所与の頻度で放電する必要がある。走査ドライバ２５０は、奇数（２i−１、ｉは自然数）フレーム周期でＬＣＤパネル２０の全走査ラインを順次駆動する。なお、走査ドライバ２５０は、１フレーム周期（ｉ＝１）でＬＣＤパネル２０の全走査ラインを順次駆動した場合、パーシャル表示制御に伴う低消費電力化の効果を得ることができなくなるため、３フレーム周期より長い周期である方が望ましい。このフレーム周期は液晶材に依存するが、走査駆動電圧が低いほどフレーム周期を長く設定することができる。なお、図１９では、３（ｉ＝２）フレーム周期で全走査ラインを順次駆動する場合を示している。
【０１９４】
全走査ラインを駆動するフレームでは、ライン反転駆動方式により、走査ラインごとに、かつフレームごとに極性が反転する対向電極電圧極性反転信号ＶＣＯＭが供給される。
【０１９５】
走査ドライバ２５０は、１フレーム目及び４フレーム目において、全走査ラインを順次走査駆動する。
【０１９６】
より具体的には、１フレーム目及び４フレーム目において、走査ドライバ２５０は、イネーブル入出力信号ＥＩＯをクロック信号ＣＬＫに同期して取り込むと、シフトレジスタ２５２のＦＦ1〜ＦＦNにおいて順次シフトする。ＬＣＤコントローラ６０は、各ブロックの走査ラインの走査タイミングに合わせて、論理レベルが「Ｌ」となる出力イネーブル信号ＸＯＥＶを走査ドライバ２５０に供給する。走査ドライバ２５０において、走査ライン駆動回路２５８のＡＮＤ回路２６０1〜２６０Nは、ＬＳ1〜ＬＳNの出力ノードの電位をそのままＣＭＯＳバッファ回路２６２1〜２６２Nに供給する。従って、走査ラインＧ1〜ＧNに接続されるＴＦＴのゲート電極には、順次走査駆動が行われて、信号ラインに接続された電位が液晶容量に印加されることになる。このとき、液晶容量の画素電極には、液晶容量の対向電極電圧Ｖｃｏｍとの間の電圧差が液晶の所与の閾値ＶCLより小さくなるような電圧が印加されるようにする。あるいは、液晶容量の画素電極には、液晶容量の対向電極電圧Ｖｃｏｍと同等の電圧が印加されるようにすることも可能である。
【０１９７】
また、走査ドライバ２５０は、上述した１フレーム目と４フレーム目との間の２フレーム目及び３フレーム目において、表示エリアに対応する走査ラインのみを順次走査駆動し、非表示エリアに対応する走査ラインの駆動を行わない。
【０１９８】
より具体的には、２フレーム目及び３フレーム目において、走査ドライバ２５０は、入出力イネーブル信号ＥＩＯをクロック信号ＣＬＫに同期して取り込むと、シフトレジスタ２５２のＦＦ1〜ＦＦNにおいて順次シフトする。ＬＣＤコントローラ６０は、非表示エリアに設定されたブロックＢ０の走査ラインＧ1〜Ｇ8の走査タイミングＴ０に合わせて、論理レベルが「Ｈ」となる出力イネーブル信号ＸＯＥＶを走査ドライバ２５０に供給する。従って、走査ドライバ２５０において、走査ライン駆動回路２５８のＡＮＤ回路２６０1〜２６０8は、ＬＳ1〜ＬＳ8の出力ノードの論理レベルをマスクして論理レベルを「Ｌ」とする。これにより、走査ラインＧ1〜Ｇ8に接続されるＴＦＴのゲート電極には、低電位側の電位が供給されたままとなる。
【０１９９】
また、ＬＣＤコントローラ６０は、表示エリアに設定されたブロックＢ１の走査ラインＧ9〜Ｇ16の走査タイミングＴ１に合わせて、論理レベルが「Ｌ」となる出力イネーブル信号ＸＯＥＶを走査ドライバ２５０に供給する。従って、走査ドライバ２５０において、走査ライン駆動回路２５８のＡＮＤ回路２６０9〜２６０16は、ＬＳ9〜ＬＳ16の出力ノードの電位をそのままＣＭＯＳバッファ回路２６２9〜２６２16に供給する。これにより、走査ラインＧ9〜Ｇ16に接続されるＴＦＴのゲート電極には、順次走査駆動が行われて、信号ラインに接続された電位が液晶容量に印加されることになる。
【０２００】
更に、ＬＣＤコントローラ６０は、非表示エリアに設定されたブロックＢ２の走査ラインＧ17〜Ｇ24の走査タイミングＴ２に合わせて、論理レベルが「Ｈ」となる出力イネーブル信号ＸＯＥＶを走査ドライバ２５０に供給し、走査タイミングＴ１と同様に走査ラインへの駆動を停止させる。
【０２０１】
また、２フレーム目及び３フレームでは、対向電極電圧極性反転信号ＶＣＯＭは、非表示エリアに設定されたブロックの走査ラインの走査タイミングＴ０、Ｔ２に応じて、極性が正又は負に固定化される。こうすることで、不要な極性反転に伴う電力消費を削減する。
【０２０２】
なお、第１及び第２の実施形態では、ＴＦＴ液晶を用いたアクティブマトリクス型液晶パネルを例に説明したが、これに限定されるものではない。
【図面の簡単な説明】
【図１】第１の実施形態における走査駆動回路（走査ドライバ）を適用した表示装置の構成の概要を示すブロック図である。
【図２】図１に示した信号ドライバの構成の概要を示すブロック図である。
【図３】図１に示した走査ドライバの構成の概要を示すブロック図である。
【図４】図１に示したＬＣＤコントローラの構成の概要を示すブロック図である。
【図５】図５（Ａ）は、フレーム反転駆動方式による信号ラインの駆動電圧及び対向電極電圧Ｖｃｏｍの波形を模式的に示す模式図である。図５（Ｂ）は、フレーム反転駆動方式を行った場合に、フレームごとに、各画素に対応した液晶容量に印加される電圧の極性を模式的に示す模式図である。
【図６】図６（Ａ）は、ライン反転駆動方式による信号ラインの駆動電圧及び対向電極電圧Ｖｃｏｍの波形を模式的に示す模式図である。図６（Ｂ）は、ライン反転駆動方式を行った場合に、フレームごとに、各画素に対応した液晶容量に印加される電圧の極性を模式的に示す模式図である。
【図７】液晶装置のＬＣＤパネルの駆動波形の一例を示す説明図である。
【図８】図８（Ａ）、（Ｂ）、（Ｃ）は、第１の実施形態における走査ドライバにより実現したパーシャル表示の一例を模式的に示す説明図である。
【図９】図９（Ａ）、（Ｂ）、（Ｃ）は、第１の実施形態における走査ドライバにより実現したパーシャル表示の他の例を模式的に示す説明図である。
【図１０】図１０（Ａ）、（Ｂ）は、第１の実施形態における走査ドライバによるデータバイパス動作の一例を示す説明図である。
【図１１】液晶装置における極性反転信号ＰＯＬと対向電極電圧極性反転信号ＶＣＯＭの接続関係の一例を示す説明図である。
【図１２】第１の実施形態における走査ドライバが、ライン反転駆動方式により走査駆動する場合の一垂直走査期間内の各種タイミングの一例を示す説明図である。
【図１３】第１の実施形態における走査ドライバの構成の概要を示すブロック図である。
【図１４】第１の実施形態における走査ドライバの動作タイミングの一例を示すタイミング図である。
【図１５】第１の実施形態における走査ドライバの変形例の構成を示す構成図である。
【図１６】図１６（Ａ）、（Ｂ）は、第２の実施形態における走査ドライバの動作の一例を示す説明図である。
【図１７】図１７（Ａ）、（Ｂ）、（Ｃ）、（Ｄ）、（Ｅ）は、対向電極電圧極性反転信号ＶＣＯＭの動作停止タイミングの一例を説明図である。
【図１８】第２の実施形態における走査ドライバの構成の概要を示すブロック図である。
【図１９】第２の構成例における走査ドライバによるパーシャル表示制御タイミングの一例を示すタイミング図である。
【符号の説明】
１０  液晶装置（表示装置）
２０  ＬＣＤパネル（電気光学装置）
２４nm  液晶容量
２６nm  画素電極
２８nm  対向電極
３０  信号ドライバ
３２、５２、２２２、２５２  シフトレジスタ
３４、３６  ラインラッチ
４０  信号ライン駆動回路
５０、２２０、２５０  走査ドライバ（走査駆動回路）
５４、５６、２５６  レベルシフタ
５８、２５８  走査ライン駆動回路
６０  ＬＣＤコントローラ
６２  制御回路
６４  ＲＡＭ
６６  ホストＩ／Ｏ
６８  ＬＣＤＩ／Ｏ
７０  コマンドシーケンサ
７２  コマンド設定レジスタ
７４  コントロール信号生成回路
８０  電源回路
１００Ｂ、１０８Ｂ、１２０Ｂ、１２８Ｂ  非表示エリア
１０２Ａ、１０６Ａ、１２２Ａ、１２６Ａ  表示エリア
２０４1〜２０４N、２０６1〜２０６N  ３入力１出力ＡＮＤ回路
２０８1〜２０８N  ２入力１出力ＯＲ回路
２１０1〜２１０N、２６２1〜２６２N  ＣＭＯＳバッファ回路
２１２1〜２１２Q-1  データ切り替え回路
２６０1〜２６０N  ２入力１出力ＡＮＤ回路
ＢＣＬＫ  クロック信号
ＢＬＫ  ブロック選択データ
ＣＬＫ  クロック信号
ＥＩＯ  イネーブル入出力信号
Ｇ1〜ＧN  走査ライン
ＬＰ  水平同期信号
ＰＯＬ  極性反転信号
ＶＣＯＭ  対向電極電圧極性反転信号
ＸＯＥＶ  出力イネーブル信号
【図１】
0003743504.tif 000002
【図２】
0003743504.tif 000003
【図３】
0003743504.tif 000004
【図４】
0003743504.tif 000005
【図５】
0003743504.tif 000006
【図６】
0003743504.tif 000007
【図７】
0003743504.tif 000008
【図８】
0003743504.tif 000009
【図９】
0003743504.tif 000010
【図１０】
0003743504.tif 000011
【図１１】
0003743504.tif 000012
【図１２】
0003743504.tif 000013
【図１３】
0003743504.tif 000014
【図１４】
0003743504.tif 000015
【図１５】
0003743504.tif 000016
【図１６】
0003743504.tif 000017
【図１７】
0003743504.tif 000018
【図１８】
0003743504.tif 000019
【図１９】
0003743504.tif 000020